【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
洗浄システムを伴うトイレアセンブリであって、
（ａ）トイレアセンブリであって、
内部空間を画定する便器と、
タンク内部を画定するトイレタンクと、
洗浄弁と、
周縁入口ポートと、
前記洗浄弁の出口から前記周縁入口ポートまで延在する隔離された周縁流路であって、前記洗浄弁は、流体を前記便器の前記周縁入口ポートに送達するように構成される、隔離された周縁流路と
を備える、トイレアセンブリと、
（ｂ）洗浄アセンブリであって、
液体洗浄剤を保持するためのリザーバであって、前記リザーバは、内部空間を画定する本体を有し、前記リザーバの内部空間と流体連通する出口ポートを有する、リザーバと、
前記リザーバを受容するように構成される筐体と、
前記リザーバの内部と流体連通し、前記リザーバ内から流体を受容するための第１の端部を有する供給導管と、
前記供給導管を通る流量を制御することが可能な流量制御デバイスと、
アクチュエータ特徴によってアクティブ化可能な制御システムであって、前記アクチュエータ特徴のアクティブ化に応じて、前記制御システムは、
前記供給導管から閉鎖位置における前記洗浄弁の内部空間に液体洗浄剤の投与量を送達するために十分な第１の時間周期にわたって前記流量制御デバイスを動作させることであって、前記洗浄弁は、前記周縁入口ポートへの流体の送達のために構成される、ことと、
前記洗浄弁を開放するように前記洗浄弁を動作させ、水洗用水を導入し、前記周縁入口ポートを通して前記便器内へ前記液体洗浄剤の投与量を運搬することと
によって、洗浄サイクルを開始するように適合され、前記洗浄サイクルは、徹底洗浄サイクルまたは簡単洗浄サイクルである、制御システムと
を備える、洗浄アセンブリと
を備える、トイレアセンブリ。
【請求項２】
前記制御システムは、第２の時間周期にわたって前記液体洗浄剤の投与量および水洗用水を送達するように前記洗浄弁を動作させる、請求項１に記載のトイレアセンブリ。
【請求項３】
前記制御システムは、前記第１の時間周期にわたって前記流量制御デバイスを動作させた後に前記第２の時間周期にわたって前記洗浄弁を動作させる、請求項２に記載のトイレアセンブリ。
【請求項４】
前記制御システムは、前記液体洗浄剤の投与量および水洗用水を送達した後に、第３の時間周期にわたって前記洗浄弁を少なくとも部分的に閉鎖するように動作させ、前記簡単洗浄サイクルにおける第３の時間周期は、前記徹底洗浄サイクルにおける第３の時間周期より短い、請求項２に記載のトイレアセンブリ。
【請求項５】
前記液体洗浄剤の投与量および水洗用水を送達した後に、前記制御システムは、前記便器の内部を浄化するために第３の時間周期の後に前記洗浄弁を開放するように動作させる、請求項２に記載のトイレアセンブリ。
【請求項６】
前記第３の時間周期は、前記液体洗浄剤の投与量が前記便器に滞留する保留時間であり、前記第３の時間周期は、前記液体洗浄剤の投与量が前記便器を洗浄することを可能にするように構成される、請求項５に記載のトイレアセンブリ。
【請求項７】
前記徹底洗浄サイクルにおいて、前記第３の時間周期は、約５分〜約１０分である、請求項６に記載のトイレアセンブリ。
【請求項８】
前記徹底洗浄サイクルにおいて、前記第３の時間周期は、前記液体洗浄剤の投与量が前記便器を洗浄し、前記便器における細菌を死滅させることを可能にするように構成される、請求項６に記載のトイレアセンブリ。
【請求項９】
前記簡単洗浄サイクルにおいて、前記第３の時間周期は、約１分である、請求項６に記載のトイレアセンブリ。
【請求項１０】
前記便器の内部の浄化は、約４．８５リットルの水洗用水を前記便器の内部に送達することを含む、請求項５に記載のトイレアセンブリ。
【請求項１１】
前記液体洗浄剤の投与量および水洗用水を送達した後に、前記制御システムは、前記供給導管から前記閉鎖位置における前記洗浄弁の内部空間に前記液体洗浄剤の第２の投与量を送達するように前記流量制御デバイスを動作させる、請求項２に記載のトイレアセンブリ。
【請求項１２】
前記液体洗浄剤の第２の投与量および水洗用水を送達した後に、前記制御システムは、前記便器の内部を浄化するために第３の時間周期の後に前記洗浄弁を開放するように動作させる、請求項１１に記載のトイレアセンブリ。
【請求項１３】
前記制御システムは、前記徹底洗浄サイクルにおいて前記供給導管から前記液体洗浄剤の２つの投与量を送達し、前記簡単洗浄サイクルにおいて前記供給導管のために前記液体洗浄剤の１つの投与量を送達するように、前記流量制御デバイスを動作させる、請求項１に記載のトイレアセンブリ。
【請求項１４】
前記液体洗浄剤の各投与量は、約２４ｍｌである、請求項１３に記載のトイレアセンブリ。
【請求項１５】
前記流量制御システムは、液体供給弁であり、前記洗浄システムは、前記液体供給弁のための歯車モータをさらに備える、請求項１に記載のトイレアセンブリ。
【請求項１６】
前記歯車モータは、供給弁アクチュエータを持ち上げ、前記液体洗浄剤の投与量を投与チャンバ内へ送達するように構成される、請求項１５に記載のトイレアセンブリ。
【請求項１７】
前記洗浄弁を動作させるように構成されるリフト作動アームをさらに備え、前記制御システムは、前記洗浄弁を開放し、前記周縁入口ポートを通して前記便器内へ前記水洗用水および前記液体洗浄剤の投与量を導入するように、前記リフト作動アームを動作させる、請求項１に記載のトイレアセンブリ。
【請求項１８】
前記洗浄弁を動作させるように構成されるリフト作動アームをさらに備え、
前記制御システムは、
前記洗浄弁を開放し、第２の時間周期にわたって前記液体洗浄剤の投与量および前記水洗用水を送達するように、前記リフト作動アームを動作させることと、
前記洗浄弁を閉鎖するように前記リフト作動アームを動作させることと、
前記便器の内部を浄化するために第３の時間周期の後に前記洗浄弁を開放するように前記リフト作動アームを動作させることと
をさらに行う、請求項１に記載のトイレアセンブリ。
【請求項１９】
前記制御システムは、前記第１の時間周期にわたって前記流量制御デバイスを動作させ、同時に開放するように前記洗浄弁を動作させる、請求項１に記載のトイレアセンブリ。
【請求項２０】
前記制御システムは、前記第１の周期時間にわたって前記液体洗浄剤の投与量を送達する前に、開放するように前記洗浄弁を動作させる、請求項１に記載のトイレアセンブリ。
【手続補正２】
【補正対象書類名】明細書
【補正対象項目名】００７７
【補正方法】変更
【補正の内容】
【００７７】
そのような洗浄システムは、非噴射式のサイホン式重力動力型便器、周縁噴射式のサイホン式重力動力型便器、または重力動力型洗い落とし式便器で使用されてもよい。制御システムは、洗浄作動モード中に弁を動作させる際に使用するための弁カバーの中のポペット特徴を伴うフラッパ型洗浄弁である、トイレアセンブリの中の洗浄弁を動作させてもよい。これはまた、洗浄作動モード中に弁を開放させる際に使用するためのフックおよびキャッチ特徴を伴うフラッパ型洗浄弁である、トイレアセンブリの中の洗浄弁を動作させてもよい。これはさらに、ポペット型洗浄弁である、トイレアセンブリの中の洗浄弁を動作させてもよく、ポペット型弁カバーは、通常水洗モードで洗浄弁を開放し、洗浄弁は、洗浄作動モード中に弁を動作させる際に使用するためのカバーをその上に有する、側面ポートを有する。
本発明は、例えば、以下を提供する。
（項目１）
洗浄システムを伴うトイレアセンブリであって、
（ａ）トイレアセンブリであって、
内部空間を画定する便器と、
タンク内部を画定するトイレタンクと、
洗浄弁と、
周縁入口ポートと、
前記洗浄弁の出口から前記周縁入口ポートまで延在する、隔離された周縁流路であって、前記洗浄弁は、流体を前記便器の前記周縁入口ポートに送達するように構成される、隔離された周縁流路と、
を備える、トイレアセンブリと、
（ｂ）洗浄システムであって、
液体洗浄剤を保持するためのリザーバであって、前記リザーバは、内部空間を画定する本体を有し、前記リザーバ本体の前記内部空間と流体連通する出口ポートを有する、リザーバと、
前記リザーバを受容するように構成される筐体と、
前記リザーバの前記内部と流体連通し、前記リザーバ内から流体を受容するための第１の端部を有する、供給導管と、
前記供給導管を通る流量を制御することが可能な流量制御デバイスと、
アクチュエータ特徴によってアクティブ化可能な制御システムであって、前記アクチュエータ特徴のアクティブ化に応じて、前記制御システムは、
前記供給導管から閉鎖位置における前記洗浄弁の内部空間に液体洗浄剤の投与量を送達するために十分な第１の時間周期にわたって前記流量制御デバイスを動作させるステップであって、前記洗浄弁は、前記周縁入口ポートへの流体の送達のために構成される、ステップと、
前記洗浄弁を動作させ、前記洗浄弁を開放して、少なくとも約３リットルまたはそれを上回る水洗用水を導入し、前記周縁入口ポートを通して前記便器の中へ液体洗浄剤の前記投与量を運搬するステップと、
によって、洗浄サイクルを開始するように適合される、制御システムと、
を備える、洗浄システムと、
を備える、トイレアセンブリ。
（項目２）
前記リザーバの前記内部と流体連通し、前記リザーバ内から同伴空気および／または液体を受容するように位置する第１の端部と、前記リザーバ内の全液面の高さの少なくとも上方に位置する第２の開放端とを有するように構成される、通気管路をさらに備える、項目１に記載のトイレアセンブリ。
（項目３）
前記制御システムは、前記周縁入口ポートを通して前記便器の中へ液体洗浄剤の前記投与量および水洗用水を送達した後に、前記洗浄弁を少なくとも部分的に閉鎖するように動作する、項目１に記載のトイレアセンブリ。
（項目４）
前記制御システムは、第２の時間周期にわたって液体洗浄剤の前記投与量および水洗用水を送達するように前記洗浄弁を動作させる、項目３に記載のトイレアセンブリ。
（項目５）
前記リザーバ本体は、出口部分を有し、前記出口ポートは、前記出口部分の中に位置する、項目１に記載のトイレアセンブリ。
（項目６）
前記筐体は、前記リザーバの前記出口部分を受容するように構成されるシート部分を有する、項目５に記載のトイレアセンブリ。
（項目７）
前記リザーバの前記出口部分が、密閉係合で前記筐体の前記シート部分内に嵌合するように、少なくとも１つの周辺シールをさらに備える、項目６に記載のトイレアセンブリ。
（項目８）
前記リザーバの前記内部と流体連通している通気管路を有し、前記通気管路は、前記リザーバ内から同伴空気および／または液体を受容するように位置する第１の端部と、前記リザーバ内の全液面の高さの少なくとも上方に位置する第２の開放端とを有するように構成されている、項目６に記載のトイレアセンブリ。
（項目９）
前記アセンブリはさらに、管を備え、前記管は、前記管を通る通路を画定し、上向きに延在する第１の端部と、第２の端部とを有し、前記第１の端部は、前記リザーバの前記内部空間から前記管内の前記通路を通して前記供給導管の前記第１の端部の中へ流体を指向するためのものであり、前記管は、前記シート部分の中に位置する、項目６に記載のトイレアセンブリ。
（項目１０）
前記リザーバの前記内部と流体連通し、前記リザーバ内から同伴空気および／または液体を受容するように位置する第１の端部と、前記リザーバ内の全液面の高さの少なくとも上方に位置する第２の開放端とを有するように構成される、通気管路を有し、前記シート部分は、前記通気管路の前記第１の端部を受容するための第１の開口部と、前記供給導管の前記第１の端部を受容するための第２の開口部とを備える、項目９に記載のトイレアセンブリ。
（項目１１）
前記管の前記第１の端部は、尖っている、項目９に記載のトイレアセンブリ。
（項目１２）
前記供給導管の前記第１の端部は、前記リザーバが前記筐体内に位置するときに、前記管の前記第２の端部内に位置する、項目９に記載のトイレアセンブリ。
（項目１３）
前記管は、前記リザーバの前記出口部分が前記シートの前記シート部分の中にあるとき、前記管が前記リザーバの前記出口ポートを通って前記リザーバの前記出口部分内で上向きに延在するように、前記シート部分内に位置する、項目９に記載のトイレアセンブリ。
（項目１４）
前記管は、前記出口部分の底部領域に流入するように前記管の前記上向きに延在する端部に進入する流体のための前記管を通って延在する少なくとも１つの側面開口部を備える、項目９に記載のトイレアセンブリ。
（項目１５）
前記出口ポートは、前記管の前記上向きに延在する端部または液体供給弁継手によって貫通されることが可能な破れやすいシールを有し、前記出口部分の前記底部領域は、前記リザーバが前記筐体内に完全に据え付けられるときに、前記破れやすいシールの下方の領域として画定され、前記管の前記上向きに延在する端部または前記液体供給弁継手は、前記リザーバが前記筐体内に完全に据え付けられるときに、前記破れやすいシールを通過する、項目１４に記載のトイレアセンブリ。
（項目１６）
前記流量制御デバイスは、機械化弁、蠕動ポンプ、ピストンポンプ、歯車ポンプ、および歯車モータのうちの１つである、項目１に記載のトイレアセンブリ。
（項目１７）
前記リザーバの前記出口ポートは、破れやすいカバーによって被覆される、項目１に記載のトイレアセンブリ。
（項目１８）
前記破れやすいカバーは、箔、隔壁、ポリマー裏打ちを伴う箔、または膜を備える、項目１７に記載のトイレアセンブリ。
（項目１９）
前記流量制御デバイスを動作させるために前記制御システムによってアクティブ化可能な歯車モータをさらに備える、項目１に記載のトイレアセンブリ。
（項目２０）
上面を有し、前記タンクの上に据え付けられるように構成される、タンク蓋をさらに備え、前記タンク蓋の前記上面は、前記筐体を受容するように構成され、前記筐体のシート部分を受容するように構成される領域を含む、項目１に記載のトイレアセンブリ。
（項目２１）
前記タンク蓋はさらに、ロック機構を受容するために構成される、前記タンク蓋を通って延在する少なくとも１つの開口部を備える、項目２０に記載のトイレアセンブリ。
（項目２２）
前記ロック機構は、第１の端部および第２の端部を有する少なくとも１つのロック本体を備え、前記第２の端部は、前記少なくとも１つの開口部を通って延在するためのものであり、前記ロック機構はさらに、前記タンク蓋を固着するように前記ロック機構を解放可能に係止するために前記ロック本体の前記第１の端部上に係止キャップを備える、項目２１に記載のトイレアセンブリ。
（項目２３）
前記タンク蓋および筐体を覆って位置付けられるように構成されたカバーをさらに有し、前記カバーは、パネルにアクセスするための開口部を前記カバー内に有し、前記パネルは、前記パネル上にアクチュエータボタンを有する、項目２１に記載のトイレアセンブリ。
（項目２４）
前記タンク蓋はさらに、リフトアームアクチュエータ歯車モータによって作動される少なくとも１つの歯車を備える、リフトアームアクチュエータアセンブリの少なくとも一部の延在を可能にするために、前記タンク蓋を通って延在するアクチュエータ開口部を備え、前記少なくとも１つの歯車は、前記リフトアームを移動させ、前記周縁洗浄弁を制御可能に開放するようにリフトアームに係合することが可能であり、前記リフトアームは、直接または間接的連結部を通して前記洗浄弁に動作可能に接続している、項目２２に記載のトイレアセンブリ。
（項目２５）
前記リフトアームはまた、水洗ハンドルに動作可能に接続し、前記水洗ハンドルおよびリフトアームは、前記水洗ハンドルの押下に応じて、従来の水洗サイクル中に前記洗浄弁を動作させるよう接続され、前記リフトアームアクチュエータアセンブリは、前記リフトアームアクチュエータ歯車モータおよび前記少なくとも１つの歯車の動作によって、前記水洗ハンドルの押下を伴わずに前記洗浄弁を動作させるよう配列される、項目２４に記載のトイレアセンブリ。
（項目２６）
前記リザーバおよび筐体を保持するように構成される底部トレイと、上蓋とをさらに備え、前記底部トレイおよび上蓋は、前記上蓋が標準タンクカバーの代わりに着座し、前記底部トレイが前記洗浄弁の上方で前記タンクの前記内部内に着座するように、前記トイレタンクの上に位置付けられるように構成される、項目１に記載のトイレアセンブリ。
（項目２７）
前記アクチュエータ特徴に応答して、前記洗浄弁を制御可能に開放するための洗浄弁動作機構をさらに備える、項目１に記載のトイレアセンブリ。
（項目２８）
前記弁動作機構は、前記洗浄弁の弁体の周囲に据え付けられたフラッパリフト機構に接続された連結部と連通するリフトロッドを備え、前記リフトロッドは、前記歯車モータによって機械的に作動され、前記歯車モータは、接触に応じて前記リフトロッドを移動させるためのカム機構と機械的に動作する、項目２７に記載のトイレアセンブリ。
（項目２９）
前記弁動作機構は、リフトアームアクチュエータ歯車モータによって作動される少なくとも１つの歯車を備える、リフトアームアクチュエータアセンブリを備え、前記リフトアームアクチュエータアセンブリの前記少なくとも１つの歯車は、前記リフトアームが前記周縁洗浄弁を制御可能に開放することができるように、前記リフトアームアクチュエータアセンブリの中のリフトアームの一部を移動させるよう、前記リフトアームアクチュエータアセンブリに係合することが可能であり、前記リフトアームは、直接または間接的連結部を通して前記周縁洗浄弁に動作可能に接続している、項目２７に記載のトイレアセンブリ。
（項目３０）
前記制御システムはさらに、液体洗浄剤の前記投与量とともに前記水洗用水を送達した後に前記洗浄弁を少なくとも部分的に閉鎖するように、かつ第３の時間周期後に前記洗浄弁を再び開放し、前記洗浄サイクルの終わりに少なくとも約３リットルの新しい水洗用水で便器の内部を浄化するように適合される、項目１に記載のトイレアセンブリ。
（項目３１）
前記洗浄弁は、周縁洗浄弁であり、前記トイレはさらに、直接送給噴射口と、噴射洗浄弁と、別個の噴流経路とを備え、前記制御システムは、前記周縁チャネルが水洗用水を導入して前記便器を浄化するように再開放することとほぼ同時に、前記噴射洗浄弁を開放し、少なくとも約１．０ｌの水洗用水を前記噴流経路に放出するように動作する、項目３０に記載のトイレアセンブリ。
（項目３２）
前記リザーバの前記出口ポートと流体連通し、かつ前記供給導管と流体連通して位置するよう位置付けられる、液体供給弁をさらに備える、項目１に記載のトイレアセンブリ。
（項目３３）
前記リザーバ本体は、出口部分を有し、前記出口ポートは、前記出口部分の中に位置し、前記筐体は、前記リザーバが前記筐体の中に据え付けられるときに、前記リザーバの前記出口部分を受容するように構成される、シート部分を有し、前記液体供給弁は、前記液体供給弁を通る弁通路を画定し、前記液体供給弁は、前記リザーバの前記内部空間から前記弁通路を通って前記供給導管の前記第１の端部の中へ流体を指向するための第１の上端を有し、前記液体供給弁は、第２の端部を有する、項目３２に記載のトイレアセンブリ。
（項目３４）
前記液体供給弁の前記第２の端部を前記供給導管の前記第１の端部に接続するために前記液体供給弁の前記第２の端部と連通する弁継手をさらに備える、項目３３に記載のトイレアセンブリ。
（項目３５）
前記液体供給弁は、アンブレラ弁、ダックビル弁、ばね荷重弁、回転弁、通気式エラストマ弁、およびフラップエラストマ弁のうちの１つである、項目３４に記載のトイレアセンブリ。
（項目３６）
前記液体供給弁は、第１の機械化弁と、第２の機械化弁とを備え、前記アセンブリはさらに、前記リザーバの前記内部空間内からの液体洗浄剤の投与量を保定するように構成される投与チャンバを備え、前記投与チャンバは、内部空間を画定し、入口ポートを有し、かつ出口ポートを有し、前記投与チャンバの前記入口ポートは、前記第１の機械化弁の出口ポートと流体連通し、前記投与チャンバの前記出口ポートは、第２の機械化弁の入口と流体連通し、前記第２の機械化弁の出口は、供給導管の第１の端部と流体通信する、項目３２に記載のトイレアセンブリ。
（項目３７）
前記トイレアセンブリはさらに、直接送給噴射口を含み、前記洗浄弁は、周縁洗浄弁であり、前記トイレアセンブリはさらに、前記トイレの中の前記直接送給噴射口に水洗用水を導入するために動作可能な第２の洗浄弁を備える、項目１に記載のトイレとともに使用するためのトイレアセンブリ。
（項目３８）
前記周縁洗浄弁のための前記流体経路および前記噴射洗浄弁は、相互から分離し、前記噴射洗浄弁は、水洗サイクルの前および後にプライミングされた状態のままである、項目３７に記載のトイレアセンブリ。
（項目３９）
前記供給導管の前記第２の端部は、前記周縁洗浄弁に接続される溢流管の内部の中へ流体を送達するように位置付けられる、項目３８に記載のトイレアセンブリ。
（項目４０）
前記アクチュエータ特徴は、上蓋の下に位置付けられたボタンであり、前記ボタンは、前記上蓋内の開口部を通してアクセス可能である、項目１に記載のトイレアセンブリ。
（項目４１）
洗浄システムを用いてトイレアセンブリの中のトイレを周期的に洗浄するための方法であって、
項目１に記載のトイレアセンブリを提供するステップと、
前記アクチュエータ特徴によって前記制御システムをアクティブ化し、前記洗浄サイクルを開始するステップと、
前記流量制御デバイスを動作させ、前記供給導管から閉鎖位置における洗浄弁の前記内部空間に液体洗浄剤の前記投与量を送達するために十分な前記第１の時間周期にわたって前記流量制御デバイスを開放するステップと、
前記洗浄弁を動作させ、前記洗浄弁を開放して、前記周縁入口ポートを通して前記便器の中へ液体洗浄剤の前記投与量とともに少なくとも約３リットルの水洗用水を導入するステップと、
を含む、方法。
（項目４２）
前記トイレアセンブリはさらに、直接送給噴射口を含み、前記洗浄弁は、周縁洗浄弁であり、前記トイレアセンブリはさらに、前記トイレの中の前記直接送給噴射口に水洗用水を導入するために動作可能な第２の洗浄弁を備える、項目４１に記載の方法。
（項目４３）
前記周縁洗浄弁のための前記流体経路は、前記噴射洗浄弁から隔離され、前記噴射洗浄弁は、水洗サイクルの前および後にプライミングされた状態のままである、項目４２に記載の方法。
（項目４４）
前記制御システムは、前記第２の時間周期にわたって前記水洗用水および液体洗浄剤の前記投与量を導入するように動作し、前記方法はさらに、液体洗浄剤の前記投与量とともに前記水洗用水を導入した後に、前記洗浄弁を動作させて前記洗浄弁を少なくとも部分的に閉鎖するステップと、第３の時間周期後に前記洗浄弁を動作させて再び前記洗浄弁を開放し、前記洗浄サイクルの終わりに新しい水洗用水で便器の前記内部を浄化するステップとを含む、項目４３に記載の方法。
（項目４５）
トイレアセンブリとともに使用するための洗浄システムであって、
内部空間を画定する本体を有し、前記リザーバ本体の前記内部空間と流体連通する出口ポートを有する、液体洗浄剤を保持するためのリザーバと、
前記リザーバを受容するように構成される筐体と、
前記リザーバの前記内部と流体連通し、前記リザーバ内から流体を受容するための第１の端部を有する、供給導管と、
前記供給導管を通る流量を制御することが可能な流量制御デバイスと、
アクチュエータ特徴によってアクティブ化可能な制御システムであって、前記アクチュエータ特徴のアクティブ化に応じて、前記制御システムは、
前記供給導管から、便器の周縁入口ポートへの流体の送達のために構成される閉鎖された洗浄弁の内部空間に液体洗浄剤の投与量を送達するために十分な第１の時間周期にわたって、前記流量制御デバイスを動作させるステップと、
前記洗浄弁を動作させ、前記洗浄弁を開放して、液体洗浄剤の前記投与量とともに水洗用水を便器の周縁入口ポートの中に導入するステップと、
によって、洗浄サイクルを開始するように適合される、制御システムと、
を備える、トイレアセンブリとともに使用するための洗浄システム。
（項目４６）
前記制御システムは、第２の時間周期にわたって水洗用水および液体洗浄剤を導入し、さらに、前記水洗用水および液体洗浄剤の前記投与量を送達した後に、前記洗浄弁を少なくとも部分的に閉鎖するように動作する、項目４５に記載のトイレとともに使用するための洗浄システム。
（項目４７）
前記リザーバ本体は、出口部分を有し、前記出口ポートは、前記出口部分の中に位置する、項目４５に記載のトイレとともに使用するための洗浄システム。
（項目４８）
前記筐体は、前記リザーバの前記出口部分を受容するように構成されるシート部分を有する、項目４５に記載のトイレとともに使用するための洗浄システム。
（項目４９）
前記リザーバの前記出口部分が、密閉係合で前記筐体の前記シート部分内に嵌合するように、少なくとも１つの周辺シールをさらに備える、項目４８に記載のトイレとともに使用するための洗浄システム。
（項目５０）
前記リザーバの前記出口ポートは、前記管の前記上向きに延在する端部または液体供給弁継手によって貫通されることが可能な破れやすいシールを有し、前記出口部分の前記底部領域は、前記リザーバが前記筐体内に完全に据え付けられるときに、前記破れやすいシールの下方の領域として画定され、前記管の前記上向きに延在する端部または前記液体供給弁継手は、前記リザーバが前記筐体内に完全に据え付けられるときに、前記破れやすいシールを通過する、項目４５に記載のトイレとともに使用するための洗浄システム。
（項目５１）
前記流量制御デバイスは、機械化弁、蠕動ポンプ、ピストンポンプ、歯車ポンプ、または歯車モータのうちの１つである、項目４５に記載のトイレとともに使用するための洗浄システム。
（項目５２）
前記流量制御デバイスは、前記流量制御デバイスを動作させるために前記制御システムによってアクティブ化可能な歯車モータを備える、項目５１に記載のトイレとともに使用するための洗浄システム。
（項目５３）
前記リザーバの前記出口ポートは、破れやすいカバーによって被覆される、項目４５に記載のトイレとともに使用するための洗浄システム。
（項目５４）
前記破れやすいカバーは、箔、隔壁、または膜を備える、項目５３に記載のトイレとともに使用するための洗浄システム。
（項目５５）
リフトアームアクチュエータ歯車モータによって作動される少なくとも１つの歯車を備える、リフトアームアクチュエータアセンブリを備え、前記少なくとも１つの歯車は、前記リフトアームが前記洗浄弁を制御可能に開放することができるように、前記リフトアームアセンブリの中のリフトアームを移動させるよう、前記リフトアームアクチュエータアセンブリに係合することが可能であり、前記リフトアームは、直接または間接的連結部を通して前記洗浄弁に動作可能に接続している、項目４５に記載のトイレとともに使用するための洗浄システム。
（項目５６）
前記歯車モータを封入し、前記少なくとも１つの歯車を搭載するための歯車モータ筐体をさらに備え、前記歯車モータ筐体は、トイレタンク内に位置付けられるよう、かつ前記リザーバのために前記筐体内の少なくとも１つの開口部を通って上向きに延在するように構成される、項目５５に記載のトイレとともに使用するための洗浄システム。
（項目５７）
前記筐体は、前記歯車モータ筐体を、前記リザーバ筐体に、または前記リザーバおよび前記リザーバ筐体を保持するように構成されるトレイに固着するための搭載フランジを有する、項目５６に記載のトイレとともに使用するための洗浄システム。
（項目５８）
前記リザーバおよび筐体を保持するように構成される底部トレイと、上蓋とをさらに備え、前記底部トレイおよび上蓋は、前記上蓋が従来のタンクカバーの代わりに着座し、前記底部トレイがトイレ洗浄弁の上方でトイレタンクの内部内に着座するように、トイレタンクの上に位置付けられるように構成される、項目４５に記載のトイレとともに使用するための洗浄システム。
（項目５９）
前記制御システムはさらに、液体洗浄剤の前記投与量を送達した後に前記洗浄弁を少なくとも部分的に閉鎖するように、かつ第３の時間周期後に前記洗浄弁を再び開放し、前記洗浄サイクルの終わりに新しい水洗用水で便器の内部を浄化するように適合される、項目４５に記載のトイレとともに使用するための洗浄システム。
（項目６０）
洗浄システムを伴うトイレアセンブリであって、
（ａ）トイレアセンブリであって、
内部空間を画定する便器と、
タンク内部を画定するトイレタンクと、
洗浄弁と、
周縁入口ポートと、
前記洗浄弁の出口から前記周縁入口ポートまで延在する、隔離された周縁流路であって、前記洗浄弁は、流体を前記便器の前記周縁入口ポートに送達するように構成される、隔離された周縁流路と、
を備える、トイレアセンブリと、
（ｂ）洗浄システムであって、
内部空間を画定する本体を有し、前記リザーバ本体の前記内部空間と流体連通する出口ポートを有する、液体洗浄剤を保持するためのリザーバと、
前記リザーバを受容するように構成される筐体と、
前記リザーバの前記内部と流体連通し、前記リザーバ内から流体を受容するための第１の端部を有する、供給導管と、
前記供給導管を通る流量を制御することが可能な流量制御デバイスと、
少なくとも１つのアクチュエータ特徴によってアクティブ化可能な制御システムであって、前記アクチュエータ特徴のアクティブ化に応じて、前記制御システムは、
前記供給導管から閉鎖位置における前記洗浄弁の内部空間に液体洗浄剤の投与量を送達するために十分な第１の時間周期にわたって前記流量制御デバイスを動作させるステップであって、前記洗浄弁は、前記周縁入口ポートへの流体の送達のために構成される、ステップと、
前記洗浄弁を動作させ、前記洗浄弁を開放して、少なくとも約３リットルまたはそれを上回る水洗用水を導入し、前記周縁入口ポートを通して前記便器の中へ液体洗浄剤の前記投与量を運搬するステップと、
によって、洗浄サイクルを開始するように適合される、制御システムと、
を備える、洗浄システムと、
を備える、トイレアセンブリ。